(57)【要約】【課題】  動画像の編集が、電池残量によって中断されることを防ぐこと。【解決手段】  被写体像を撮像して、動画像を生成する撮像部と、撮像部により生成した動画像を記録する記録部と、記録部に記録された動画像のうち、任意の動画像を再生して表示する表示部と、任意の動画像に対する画像編集を行う処理部と、電池残量を検出する検出部と、任意の動画像の情報に基づいて、電池容量の最大値を算出する算出部と、検出部により検出した電池残量と、算出部により算出した最大値とを比較し、比較結果に基づいて表示部を制御することにより、処理部による処理を禁止する制御部とを備える。【選択図】    図１
2013157685.tif 000002
【特許請求の範囲】
【請求項１】
被写体像を撮像して、動画像を生成する撮像部と、
前記撮像部により生成した前記動画像を記録する記録部と、
前記記録部に記録された前記動画像のうち、任意の動画像を再生して表示する表示部と、
前記任意の動画像に対する画像編集を行う処理部と、
電池残量を検出する検出部と、
前記任意の動画像の情報に基づいて、電池容量の最大値を算出する算出部と、
前記検出部により検出した前記電池残量と、前記算出部により算出した前記最大値とを比較し、比較結果に基づいて前記表示部を制御することにより、前記処理部による処理を禁止する制御部と
を備えたことを特徴とする撮像装置。
【請求項２】
請求項１に記載の撮像装置において、
前記算出部は、前記再生対象の動画像のサイズおよび圧縮率の少なくとも一方に基づいて前記最大値を算出する
ことを特徴とする撮像装置。
【請求項３】
請求項１または請求項２に記載の撮像装置において、
前記表示部は、前記処理部による処理に関するユーザの指示を受け付けるための表示をさらに行い、
前記制御部は、前記処理部による処理を禁止する際には、前記表示部よる表示内容を変更することにより、前記ユーザの指定の受け付けを禁止する
ことを特徴とする撮像装置。
【請求項４】
請求項１または請求項２に記載の撮像装置において、
前記制御部は、前記処理部による処理を禁止する際には、前記処理部による処理を禁止することをユーザに報知するメッセージを前記表示部に表示する
ことを特徴とする撮像装置。
【請求項５】
請求項１から請求項４のいずれか一項に記載の撮像装置において、
前記処理部による処理に関するユーザの指示を受け付ける受付部を備え、
前記受付部により前記ユーザの指示を受け付けると、
前記算出部は、前記ユーザ指示の内容に基づいて前記最大値を算出し、
前記制御部は、前記電池残量と前記最大値とを比較し、比較結果に基づいて前記表示部を制御することにより、前記処理部による処理を禁止する
ことを特徴とする撮像装置。
【発明の詳細な説明】
【技術分野】
【０００１】
本発明は、撮像装置に関する。
【背景技術】
【０００２】
従来、撮像装置においては電池残量を考慮した様々な処理が行われている。特許文献１の発明では、蓄電量に基づいて画像処理部の画像処理方法を制限することにより、電池の残量が有効に利用できる撮像装置を開示している。
【先行技術文献】
【特許文献】
【０００３】
【特許文献１】特開２００３−２０９７３７号公報
【発明の概要】
【発明が解決しようとする課題】
【０００４】
ところで、撮像装置において動画像の編集を行う際には、動画の編集に時間を要し、編集途中で撮像装置の電池残量がなくなってしまう場合がある。編集途中で電池がなくなると、編集は中断され、編集後の動画像を残すことができないばかりか、それまでに要した時間も無駄になり、ユーザに不利益である。
【０００５】
本発明は、上記問題に鑑みてなされたものであり、動画像の編集が、電池残量によって中断されることを防ぐことを目的とする。
【課題を解決するための手段】
【０００６】
本発明の撮像装置は、被写体像を撮像して、動画像を生成する撮像部と、前記撮像部により生成した前記動画像を記録する記録部と、前記記録部に記録された前記動画像のうち、任意の動画像を再生して表示する表示部と、前記任意の動画像に対する画像編集を行う処理部と、電池残量を検出する検出部と、前記任意の動画像の情報に基づいて、電池容量の最大値を算出する算出部と、前記検出部により検出した前記電池残量と、前記算出部により算出した前記最大値とを比較し、比較結果に基づいて前記表示部を制御することにより、前記処理部による処理を禁止する制御部とを備える。
【０００７】
なお、前記算出部は、前記再生対象の動画像のサイズおよび圧縮率の少なくとも一方に基づいて前記最大値を算出しても良い。
【０００８】
また、前記表示部は、前記処理部による処理に関するユーザの指示を受け付けるための表示をさらに行い、前記制御部は、前記処理部による処理を禁止する際には、前記表示部よる表示内容を変更することにより、前記ユーザの指定の受け付けを禁止しても良い。
【０００９】
また、前記制御部は、前記処理部による処理を禁止する際には、前記処理部による処理を禁止することをユーザに報知するメッセージを前記表示部に表示しても良い。
【００１０】
また、前記処理部による処理に関するユーザの指示を受け付ける受付部を備え、前記受付部により前記ユーザの指示を受け付けると、前記算出部は、前記ユーザ指示の内容に基づいて前記最大値を算出し、前記制御部は、前記電池残量と前記最大値とを比較し、比較結果に基づいて前記表示部を制御することにより、前記処理部による処理を禁止しても良い。
【発明の効果】
【００１１】
本発明によれば、動画像の編集が、電池残量によって中断されることを防ぐことができる。
【図面の簡単な説明】
【００１２】
【図１】本実施形態の電子カメラ１００の構成を示すブロック図である。
【図２】制御部１７の動作を示すフローチャートである。
【図３】表示部１２の表示例を示す図である。
【図４】カット編集について説明する図である。
【図５】制御部１７の動作を示す別のフローチャートである。
【発明を実施するための形態】
【００１３】
以下、図面を用いて本発明の実施形態について説明する。
【００１４】
図１は、本実施形態の電子カメラの構成を示すブロック図である。本実施形態の電子カメラ１は、図１に示すように、不図示の撮像素子を備え画像を生成する撮像部１０、撮像部１０により生成した画像などのデータを記録する記録部１１、モニタなどの表示素子を備え、画像や各種メニューなどを表示する表示部１２、記録部１１に記録された画像などに画像処理を施す画像処理部１３、不図示のレリーズ釦や選択釦などの操作部材を備え、ユーザからの各種指示を受け付ける操作部１４、電子カメラ１に電源を供給する電源部１５、電源部１５の電池残量を検出する残量検出部１６の各部を備えるとともに、各部を統括的に制御する制御部１７を備える。電源部１５は、不図示の電池を着脱可能であり、電池から電子カメラ１の各部に電源を供給する。なお、電源部１５に着脱可能な電池は、充電式の二次電池や一次電池など、どのようなものであっても良い。
【００１５】
撮像部１０、記録部１１、画像処理部１３の各部は、制御部１７と相互に接続される。また、制御部１７の出力は、表示部１２に接続される。さらに、制御部１７は、操作部１４の操作状態を検知するとともに、各部を制御するためのプログラムを予め記録する。また、制御部１７は、残量検出部１６が検出した電源部１５の電池残量を取得する。
【００１６】
以上説明した構成の電子カメラ１において、記録部１１に記録された動画像を再生、表示、および編集する際の制御部１７の動作について、図２に示すフローチャートを参照して説明する。なお、動画像の再生および表示の指示と、記録部１１に記録された動画像のうち、再生、表示、および編集の対象となる動画像の選択とは、操作部１４を介したユーザ操作により予め行われているものとする。また、動画像の編集内容はどのようなものであっても良いが、以下では一例として、動画像の一部を切り出して新たな動画像として記録するいわゆるカット編集を例に挙げて説明する。その他の編集としては、露出補正、明るさ調整、階調圧縮、輪郭強調、ノイズ除去、色処理、ホワイトバランス調整などの画像処理や、画像の傾き調整などがあげられる。
【００１７】
ステップＳ１において、制御部１７は、対象の動画像を記録部１１から読み出し、表示部１２への表示を開始する。なお、制御部１７は、対象の動画像に重畳して、再生に関するユーザの指示を受け付けるためのＧＵＩ表示を行う。制御部１７は、例えば、図３Ａに示すように、表示部１２の領域Ａ１に再生に関するアイコンを表示する。図３Ａは、左から順に、「巻き戻し」、「一時停止」、「停止」、「早送り」の４つのアイコンを表示部１２に表示する例を示す。ユーザは、操作部１４を介してこれらのアイコンを選択することにより、再生に関する指示を行うことができる。
【００１８】
ステップＳ２において、制御部１７は、ユーザによる編集開始指示が行われたか否かを判定する。なお、編集開始指示は、例えば、図３Ａに示した「一時停止」のアイコンを、対象動画像の表示中に選択することにより行われる。また、編集開始指示は、どのように行われても良く、例えば、編集開始指示専用の操作部材やアイコンなどを用いて行われても良い。制御部１７は、ユーザによる編集開始指示が行われるまで待機し、ユーザによる編集開始指示が行われると、ステップＳ１で開始した動画像の表示を一時停止し、ステップＳ３に進む。
【００１９】
ステップＳ３において、制御部１７は、残量検出部１６から電源部１５の現在の電池残量Ｃｒを検出する。
【００２０】
ステップＳ４において、制御部１７は、電池容量の最大値Ｃｍを算出する。制御部１７は、最大値Ｃｍを、対象の動画像の情報に基づいて算出する。動画像の情報とは、動画像のサイズ、圧縮率などである。動画像のサイズは、動画像の再生時間の長さや解像度などを含む。制御部１７は、これらの情報に基づいて、その動画像の編集に必要な電池容量の最大値Ｃｍを算出する。
【００２１】
動画像のサイズが大きいほど、動画像の編集に必要な電池容量は大きくなる。また、動画像の圧縮率が小さいほど、動画像の編集に必要な電池容量は大きくなる。制御部１７は、対象の動画像のこれらの性質に応じて、その動画像の編集に必要な電池容量の最大値Ｃｍを算出する。
【００２２】
なお、最大値Ｃｍの算出は、動画像のサイズと圧縮率との少なくとも一方に基づいて、予め経験的に求めた式やテーブルなどを用いて行うと良い。また、最大値Ｃｍの算出方法は、ユーザにより指定、あるいは調整可能とすると良い。また、最大値Ｃｍには適宜上限または下限を設ける構成としても良い。
【００２３】
ステップＳ５において、制御部１７は、ステップＳ３で検出した電池残量Ｃｒと、ステップＳ４で算出した最大値Ｃｍとを比較し、電池残量Ｃｒ＞最大値Ｃｍである場合にはステップＳ６に進み、電池残量Ｃｒ≦最大値Ｃｍである場合には後述するステップＳ１０に進む。
【００２４】
ステップＳ６において、制御部１７は、編集可能と判断する。
【００２５】
ステップＳ７において、制御部１７は、ユーザによる編集指示の受付を許可する。制御部１７は、例えば、図３Ｂに示すように、表示部１２の領域Ａ２に編集に関するアイコンを、表示が一時停止中の表示部１２に重畳してさらに表示する。図３Ｂの例では、表示部１２の領域Ａ２の右端に、「切り出し位置指定」のアイコンを表示する。ユーザは、対象の画像の再生、表示中に、操作部１４を介してこのアイコンを選択することにより、カット編集における切り出し位置の指示を行うことができる。
【００２６】
図４は、カット編集について説明する図である。カット編集には、図４Ａに示すように、対象動画像のうち切り出す部分の起点と終点を指定する方法や、図４Ｂに示すように、対象動画像のうち削除する部分の起点と終点を指定する方法等がある。
【００２７】
ステップＳ８において、制御部１７は、ユーザによる編集指示が行われたか否かを判定する。なお、編集指示は、上述したカット編集の切り出し位置の指定に相当する。制御部１７は、ユーザによる編集指示が行われるまで待機し、ユーザによる編集指示が行われると、ステップＳ９に進む。
【００２８】
ステップＳ９において、制御部１７は、画像処理部１３を制御してカット編集を実行する。そして、制御部１７は、カット編集後の動画像を記録部１１に記録して一連の処理を終了する。なお、カット編集の詳細は公知技術と同様に行われるため説明を省略する。また、カット編集後の動画像を、元の動画像とは別に記録しても良いし、元の画像は記録せずにカット編集後の動画像のみを記録しても良い。
【００２９】
ステップＳ５において電池残量Ｃｒ≦最大値Ｃｍである場合には、ステップＳ１０において、制御部１７は、電池残量の不足により編集不可能と判断する。
【００３０】
ステップＳ１１において、制御部１７は、ユーザによる編集指示の受付を禁止する。制御部１７は、ステップＳ７の図３Ｂで説明した場合と異なり、図３Ｃに示すように、表示部１２の領域Ａ３に「切り出し位置指定」のアイコンを表示しない。そのため、ユーザは、対象の画像の再生、表示中に、カット編集に関する指示を行うことができない。
【００３１】
ステップＳ１２において、制御部１７は、電池残量の不足によりカット編集が不可能であることをユーザに報知する。制御部１７は、例えば、図３Ｃに示すように、表示部１２の領域Ａ４に、電池残量の不足によりカット編集が不可能であることをユーザに報知するメッセージを表示する。なお、図３Ｃに示したメッセージの表示に代えて、ランプやスピーカなどを介してユーザに対する報知を行っても良い。
【００３２】
また、図３Ｃの例では、「切り出し位置指定」のアイコンを表示しないことと、ユーザに報知するメッセージの表示との両方を行うことにより、カット編集を禁止する例を示したが、いずれか一方のみを行っても良い。また、図３Ｂの例と同様に「切り出し位置指定」のアイコンを表示し、このアイコンが選択された場合に、図３Ｃで説明したユーザに報知するメッセージの表示を行っても良い。
【００３３】
以上説明した各処理を行うことにより、編集のための電池残量があるときにのみ動画像の編集を可能と判断し、編集のための電池残量が不足する場合には動画像の編集を許可しない。
【００３４】
＜変形例＞
次に、図５のフローチャートを参照して変形例について説明する。なお、以下では、上述の図２の例と異なる部分についてのみ説明を行う。
【００３５】
ステップＳ２１において、制御部１７は、図２のステップＳ１と同様に、対象の動画像を記録部１１から読み出し、表示部１２への表示を開始する。また、制御部１７は、再生に関するユーザの指示を受け付けるためのＧＵＩ表示も開始する。
【００３６】
ステップＳ２２において、制御部１７は、図２のステップＳ２と同様に、ユーザによる編集開始指示が行われたか否かを判定する。制御部１７は、ユーザによる編集開始指示が行われるまで待機し、ユーザによる編集開始指示が行われると、ステップＳ１で開始した動画像の表示を一時停止し、図２のステップＳ７で説明した「切り出し位置指定」のアイコンを表示し（図３Ｂ参照）、ステップＳ２３に進む。
【００３７】
ステップＳ２３において、制御部１７は、図２のステップＳ８と同様に、ユーザによる編集指示が行われたか否かを判定する。制御部１７は、ユーザによる編集指示が行われるまで待機し、ユーザによる編集指示が行われると、ステップＳ２４に進む。
【００３８】
ステップＳ２４において、制御部１７は、編集内容の指示を受け付ける。編集内容とは、図２のステップＳ８で説明したカット編集の切り出し位置の指定に相当する。
【００３９】
ステップＳ２５において、制御部１７は、図２のステップＳ３と同様に、残量検出部１６から電源部１５の現在の電池残量Ｃｒを検出する。
【００４０】
ステップＳ２６において、制御部１７は、電池容量の最大値Ｃｍを算出する。なお、制御部１７は、図２のステップＳ４で説明した対象の動画像の情報に加えて、ステップＳ２４で受け付けた編集内容に基づいて、電池容量の最大値Ｃｍを算出する。
【００４１】
編集内容とは、カット編集において切り出す部分（または削除する部分）の時間的な長さや位置などである。切り出す部分の時間的な長さが短いほど、編集後の画像の時間的な長さは長くなる。したがって、編集後の画像の記録部１１への書き込みに時間を要するため、動画像の編集に必要な電池容量は大きくなる。また、切り出す部分の時間的な長さが長いほど、編集後の画像の時間的な長さは短くなる。したがって、編集後の画像の記録部１１への書き込みに要する時間は少なくなり、動画像の編集に必要な電池容量は小さくなる。また、切り出す部分が動画像において時間的に最初の部分であるのか、中央近傍の部分であるのか、最後の部分であるのかなどによって、その動画像の編集に必要な電池容量は異なる。さらに、編集後の動画像を記録部１１へ記録する際の書き込み速度によっても、その動画像の編集に必要な電池容量は異なる。また、記録部１１が着脱可能な記録媒体を有する場合には、その記録媒体への書き込み速度によって、その動画像の編集に必要な電池容量は異なる。また、上述した記録媒体と、電子カメラ１との機械的な相性によっても、その動画像の編集に必要な電池容量は異なる。
【００４２】
制御部１７は、図２のステップＳ４で説明した動画像の情報に加えて、上述した編集内容を加味して、その動画像の編集に必要な電池容量の最大値Ｃｍを算出する。
【００４３】
なお、最大値Ｃｍの算出において、動画像の情報と編集内容とを等価に扱っても良いし、いずれか一方の重みを大きくしても良い。また、図２のステップＳ４と同様に、最大値Ｃｍの算出は、予め経験的に求めた式やテーブルなどを用いて行うと良い。また、最大値Ｃｍの算出方法は、ユーザにより指定、あるいは調整可能とすると良い。また、最大値Ｃｍには適宜上限または下限を設ける構成としても良い。
【００４４】
ステップＳ２７において、制御部１７は、図２のステップＳ５と同様に、ステップＳ２５で検出した電池残量Ｃｒと、ステップＳ２６で算出した最大値Ｃｍとを比較し、電池残量Ｃｒ＞最大値Ｃｍである場合にはステップＳ２８に進み、電池残量Ｃｒ≦最大値Ｃｍである場合には後述するステップＳ３０に進む。
【００４５】
ステップＳ２８において、制御部１７は、ステップＳ２４で受け付けた編集について編集可能と判断する。
【００４６】
ステップＳ２９において、制御部１７は、図２のステップＳ９と同様に、画像処理部１３を制御してカット編集を実行する。
【００４７】
ステップＳ２７において電池残量Ｃｒ≦最大値Ｃｍである場合には、ステップＳ３０において、制御部１７は、ステップＳ２４で受け付けた編集について、電池残量の不足により編集不可能と判断する。
【００４８】
ステップＳ３１において、制御部１７は、図２のステップＳ１２と同様に、電池残量の不足によりカット編集が不可能であることをユーザに報知する。
【００４９】
以上説明したように、本実施形態によれば、動画像を再生して表示する表示部と、前記任意の動画像に対する画像編集を行う処理部とを備え、検出した電池残量と、動画像の情報に基づいて算出した最大値とを比較し、比較結果に基づいて表示部を制御することにより、処理部による処理を禁止する。そのため、編集のための電池残量があるときにのみ動画像の編集を可能と判断し、編集のための電池残量が不足する場合には動画像の編集を許可しないという判断を行うことにより、動画像の編集が、電池残量によって中断されることを防ぐことができる。
【００５０】
また、本実施形態によれば、再生対象の動画像のサイズおよび圧縮率の少なくとも一方に基づいて上述した最大値を算出する。したがって、対象の動画像に応じて、適切な最大値を算出することができる。
【００５１】
また、本実施形態によれば、処理部による処理を禁止する際には、表示部よる表示内容を変更することにより、ユーザの指定の受け付けを禁止する。したがって、電池残量の不足による無駄なユーザの指定を防ぐことができる。
【００５２】
また、本実施形態によれば、処理に関するユーザの指示を受け付ける受付部を備え、受付部によりユーザの指示を受け付けると、ユーザ指示の内容に基づいて最大値を算出する。したがって、ユーザ指示の内容に応じて、適切な最大値を算出することができる。
【００５３】
なお、本実施形態では、カット編集を例に挙げて説明を行ったが、露出補正、明るさ調整、階調圧縮、輪郭強調、ノイズ除去、色処理、ホワイトバランス調整などの画像処理や、画像の傾き調整などの各種編集についても、本発明を同様に適用することができる。
【００５４】
また、本実施形態では、処理の対象となる動画像はどのようなものであっても良い。例えば、全フレームの情報から成る動画像であっても良いし、基準画像の情報と差分情報とから成る動画像であっても良い。
【００５５】
また、本実施形態では、電子カメラ１を例に挙げて説明したが、本発明はこの例に限定されない。例えば、図１に示した以外の構成の電子カメラについても、本発明を同様に適用することができる。
【００５６】
また、本実施形態で説明した撮像装置を搭載した各種機器（例えば、携帯電話、携帯ゲーム機、携帯音楽プレーヤーなど）も、本発明の具体的態様として有効である。
【００５７】
また、図２および図５に示したフローチャートの処理の一部または全部を実行するための画像編集プログラムも本発明の具体的態様として有効である。この画像編集プログラムは、媒体に記録されたものであっても良いし、インターネット上のサーバに記録され、インターネットを介してダウンロード可能なものであっても良い。
【符号の説明】
【００５８】
１…電子カメラ、１０…撮像部、１１…記録部、１２…表示部、１３…画像処理部、１４…操作部、１５…電源部、１６…残量検出部、１７…制御部
【図１】
2013157685.tif 000003
【図２】
2013157685.tif 000004
【図３】
2013157685.tif 000005
【図４】
2013157685.tif 000006
【図５】
2013157685.tif 000007